(57)【要約】【課題】カートリッジの組み立て作業の際にメモリー基板が適正な姿勢から外れていても、手間をかけずに姿勢を修正できるテープカートリッジを得る。【解決手段】上下ケース１ａ・１ｂを接合してなる本体ケース１と、本体ケース１内に設けた装着部２１と、傾斜姿勢で装着部２１に保持される非接触式のメモリー基板２０とを有する。装着部２１は、メモリー基板２０を上下から挟んで保持する押え板２３と支持板２５とを有し、またメモリー基板２０の右側への移動を規制する第１ガイド板２６を有する。押え板２３は、上ケース１ａの上壁内面から下方へ延びて、下端面２３ａがメモリー基板２０の上面に当接する。支持板２５は、下ケース１ｂの底壁内面から上方へ延びて、上端面２５ａがメモリー基板２０の下面に当接する。第１ガイド板２６の左側面２６ａはメモリー基板２０の右端を受け止める。各押え板２３の下端面２３ａの右端部２３ｂは、第１ガイド板２６の左側面２６ａよりも右側に位置する。【選択図】図１
2006065924.tif 000002
【特許請求の範囲】
【請求項１】
上下ケースを蓋合わせ状に接合してなる箱型形状の本体ケースと、前記本体ケースの内部に設けた装着部と、非接触式のメモリー基板とを有しており、
前記メモリー基板が、前記本体ケースの内方へ向けて下る傾斜姿勢で前記装着部に保持されるテープカートリッジにおいて、
前記装着部は、前記メモリー基板を上下から挟んで保持する押え体および支持体と、前記メモリー基板の前記本体ケースの内方への移動を規制する内方規制体とを含んでおり、
前記押え体は、前記上ケースの上壁内面から下方へ突出していて、前記押え体の下端面が傾斜状に形成されて前記メモリー基板の上面に当接しており、
前記支持体は、前記下ケースの底壁内面から上方へ突出していて、前記支持体の上端面が傾斜状に形成されて前記メモリー基板の下面に当接しており、
前記内方規制体は、前記下ケースの底壁内面から上方へ突出していて、その側面が前記メモリー基板に当接することで前記本体ケースの内方への移動を規制しており、
前記押え体と前記内方規制体とは、前記上下ケースを接合した状態で互いに干渉しない位置に配されており、
前記押え体の前記下端面において最も前記本体ケースの内方となる端部が、前記内方規制体の前記側面よりも前記本体ケースの内方側に位置することを特徴とするテープカートリッジ。
【請求項２】
四角形の上下ケースを蓋合わせ状に接合してなる角箱形状の本体ケースと、前記本体ケースの内部における前部左隅に設けた装着部と、非接触式のメモリー基板とを有しており、
前記メモリー基板が、前記本体ケースの右側へ向けて下る傾斜姿勢で前記装着部に保持されているテープカートリッジにおいて、
前記装着部が、前記メモリー基板を上下から挟んで保持する押え体と支持体とをそれぞれ前後一対ずつ有するとともに、前記メモリー基板の右側への移動を規制する四角柱形状の内方規制体を有しており、
前各記押え体は、前記上ケースの上壁内面から下方へ延びており、前記各押え体の下端面が、それぞれ傾斜状に形成されて前記メモリー基板の上面に当接しており、
前記各支持体は、前記下ケースの底壁内面から上方へ延びており、前記各支持体の上端面が、それぞれ傾斜状に形成されて前記メモリー基板の下面に当接しており、
前記内方規制体は、前記下ケースの底壁内面から上方へ延びており、その左側面で前記メモリー基板の右端を受け止めており、
前記内方規制体は、前記上下ケースを接合した状態で前記一対の前記押え体の間に位置しており、
前記各押え体の前記下端面の右端部が、前記内方規制体の前記左側面よりも右側に位置することを特徴とするテープカートリッジ。
【請求項３】
前記下ケースの底壁内面から上方に延びる前後一対の前後規制体を含んでおり、
前記各前後規制体は、前記メモリー基板の前後端にそれぞれ当接する位置に配されており、前記前後規制体によって前記メモリー基板の前後方向の移動を規制する請求項２記載のテープカートリッジ。
【発明の詳細な説明】
【技術分野】
【０００１】
本発明は、本体ケース内に非接触式のメモリー基板を備えたテープカートリッジに関する。
【背景技術】
【０００２】
特許文献１〜４には、上下ケースを蓋合わせ状に接合してなる箱型形状の本体ケースと、本体ケースの内部の前側に設けた装着部と、非接触式のメモリー基板とを有しており、メモリー基板が、本体ケースの内方へ向けて下る傾斜姿勢で装着部に保持されているテープカートリッジが開示されている。
【０００３】
【特許文献１】特開平１１−１８５４３１号公報（段落番号００１７、図３−４）
【特許文献２】特開平１１−２３８３３４号公報（段落番号００３５、図１−３）
【特許文献３】特開平１１−３０６７２０号公報（段落番号００２２、図３）
【特許文献４】特開２００１−２３３４２号公報（段落番号０００７、図２−３）
【発明の開示】
【発明が解決しようとする課題】
【０００４】
メモリー基板を装着部に装着し損ねたりした場合などでは、メモリー基板が適正な姿勢から外れるためにメモリー基板の姿勢を修正することになるが、この分だけカートリッジの組み立て作業に手間が掛かることになる。しかも、上下ケースの接合に伴ってメモリー基板が上下ケースで押し潰されるおそれがあり、テープカートリッジの製造の歩留まりが悪くなる。
【０００５】
そこで本発明の目的は、カートリッジの組み立て作業の際にメモリー基板が適正な姿勢から外れていても、手間をかけずに姿勢を修正できるテープカートリッジを提供することにある。
【課題を解決するための手段】
【０００６】
本発明が対象とするテープカートリッジは、図２に示すごとく、四角形の上下ケース１ａ・１ｂを蓋合わせ状に接合してなる箱型形状の本体ケース１と、本体ケース１の内部における前部左隅に設けた装着部２１と、非接触式のメモリー基板２０とを有しており、メモリー基板２０が、本体ケース１の右側へ向けて下る傾斜姿勢で装着部２１に保持されている。
【０００７】
本発明は、図１および図３に示すごとく、装着部２１が、メモリー基板２０を上下から挟んで保持する押え体２３と支持体２５とをそれぞれ前後一対ずつ有するとともに、メモリー基板２０の右側への移動を規制する四角柱形状の内方規制体２６を有している。各押え体２３は、上ケース１ａの上壁内面から下方へ延びており、各押え体２３の下端面２３ａが、それぞれ傾斜状に形成されてメモリー基板２０の上面に当接している。
【０００８】
各支持体２５は、下ケース１ｂの底壁内面から上方へ延びており、各支持体２５の上端面２５ａは、それぞれ傾斜状に形成されてメモリー基板２０の下面に当接している。内方規制体２６は、下ケース１ｂの底壁内面から上方へ延びており、その左側面２６ａでメモリー基板２０の右端を受け止めている。内方規制体２６は、上下ケース１ａ・１ｂを接合した状態で一対の押え体２３・２３の間に位置しており、各押え体２３の下端面２３ａの右端部が、内方規制体２６の左側面２６ａよりも右側に位置する。
【０００９】
更に、下ケース１ｂの底壁内面から上方に延びる前後一対の前後規制体２７・２７を含んでおり、各前後規制体２７は、メモリー基板２０の前後端にそれぞれ当接する位置に配されており、前後規制体２７・２７によってメモリー基板２０の前後方向の移動を規制するようになっている。
【発明の効果】
【００１０】
本発明の作用効果を図１と図４とに基づいて説明すると、メモリー基板２０を支持体２５の上端面２５ａ上に載置すると、メモリー基板２０の右端が内方規制体２６の左側面２６ａで受け止められて、メモリー基板２０が支持体２５の上端面２５ａ上から滑り落ちることが防止される。この状態で、上下ケース１ａ・１ｂを蓋合わせ状に接合すると、メモリー基板２０が、押え体２３と支持体２５とによって上下から挟まれて、図１に示すごとく本体ケース１の右側へ向けて下る傾斜姿勢で装着部２１に保持される。
【００１１】
一方、メモリー基板２０の載置後であって上下ケース１ａ・１ｂの接合前に下ケース１ｂが大きく振動したなどの場合には、図４に示すごとく、メモリー基板２０が、内方規制体２６の左側面２６ａに寄り掛かった起立姿勢になることがある。この状態のまま上下ケース１ａ・１ｂを接合すると、押え体２３の傾斜状の下端面２３ａが起立姿勢のメモリー基板２０の上端に当たり（図４の状態）、押え体２３の下端面２３ａによってメモリー基板２０の上端が本体ケース１の左方向へ押され、メモリー基板２０が、支持体２５の上端面２５ａ上に倒れ込んで載置される。これにより、メモリー基板２０が、押え体２３と支持体２５とで適正に挟まれて装着部２１に保持される。
【００１２】
このように、メモリー基板２０が起立姿勢になっていても、その状態のまま上下ケース１ａ・１ｂを接合するだけで、メモリー基板２０が倒れて支持体２５の上端面２５ａ上に適正に載置される。つまり、メモリー基板２０が起立姿勢になっていても手間をかけずにメモリー基板２０の姿勢を修正できて、カートリッジの組み立て作業の効率化を図ることができる。しかも、メモリー基板２０が、起立姿勢のままで上下ケース１ａ・１ｂが接合されて、押え体２３と支持体２５とで押し潰されることがなく、テープカートリッジの製造の際の歩留まりを向上させることができる。
【００１３】
そして、押え体２３の下端面２３ａの右端部が、内方規制体２６の左側面２６ａよりも右側に位置することで、押え体２３の下端面２３ａの右端が起立状態のメモリー基板２０よりも確実に右側に位置して、押え体２３の下端面２３ａを起立姿勢のメモリー基板２０の上端に確実に当てることができる。
【００１４】
前後規制体２７・２７によってメモリー基板２０の前後方向の移動を規制すると、メモリー基板２０を本体ケース１内の適正位置により確実に保持できることになる。
【発明を実施するための最良の形態】
【００１５】
図１ないし図４は、本発明が対象とするテープカートリッジを示しており、図１および図２に示すごとく、テープカートリッジは、四角形の上下ケース１ａ・１ｂを蓋合わせ状に接合してなる箱型形状の本体ケース１を有している。本体ケース１の内部には、磁気テープ３が巻回された１個のリール２が配されている。
【００１６】
磁気テープ３の繰り出し端には、磁気テープ３を引き出し操作するローディングピン５が連結してある。ローディングピン５は、本体ケース１の前部右隅に開口したテープ引出口６よりもカートリッジの内方に位置決め収容されており、その上下両端が上下ケース１ａ・１ｂの内面に設けたホルダー部で係合保持されている。テープ引出口６は、左右スライド自在な蓋７で開閉され、蓋７は、図外のばねで閉じ勝手に移動付勢されている。
【００１７】
テープカートリッジには、不使用時のリール２の遊動回転を阻止するリールロック機構が設けられている。リールロック機構は、上ケース１ａの内面に設けた十文字状のガイド突起９と、上向きに開口する丸皿状のリール押え１０と、リール押え１０と上ケース１ａとの間に配されてリール押え１０を押し下げ付勢する圧縮コイルばね１１と、リール押え１０の底壁上面の中央に突設した４個のＬ字状のリブ１２と、リール押え１０をリール２にロックするための図外のロック歯とを含んでいる。
【００１８】
前記ガイド突起９が、前記４個のリブ１２で囲まれた十文字状のスライド溝に嵌合することで、リール押え１０が、本体ケース１に対して回転不能に、しかし上下スライドは自在に案内支持されている。前記ロック歯は、リール押え１０の底壁下面とリール２の底壁上面とにそれぞれ環状に設けられており、前記圧縮コイルばね１１の押し下げ付勢力でリール押え１０とリール２とのロック歯どうしが噛合する。この状態で、リール２がリール押え１０を介して本体ケース１に回転不能に連結される。
【００１９】
前記リールロック機構は、ロック解除具１３で解除されるようになっている。ロック解除具１３は、リール押え１０とリール２の底壁との間に配されて、円形の主面壁１５の周縁から等間隔置きに３本の腕１６を放射状に連出してあり、各腕１６の先端に下向きに折れ曲がる脚片１７を一体に形成してある。主面壁１５の中央は、図外のボールを介してリール押え１０の底壁に接しており、常態においてロック解除具１３は、圧縮コイルばね１１の押し下げ付勢力を受けてリール２の底壁で受け止め支持される。
【００２０】
ロック解除具１３の各脚片１７は、リール２の底壁にあけた３個の開口１９にそれぞれ嵌合した状態で下面外側に突出しており、テープドライブ側の駆動軸に設けた駆動歯がリール２の底壁下面に設けた駆動歯と係合することで、圧縮コイルばね１１の付勢力に抗して押し上げ操作される。これにより、ロック解除具１３がリール押え１０を押し上げ、リール押え１０のロック歯がリール２のロック歯から外れ、リール２が回転可能になる。本体ケース１の後部には、誤消去防止用の切り換え部材が設けてある。
【００２１】
本体ケース１の内部の前部左隅には、非接触式のメモリー基板２０が装着される装着部２１が設けられており、メモリー基板２０は、装着部２１において図１に示すごとく本体ケース１の右側へ向けてほぼ４５度の傾斜で下る傾斜姿勢で保持されている。メモリー基板２０は、図３に示すごとく、硬質の基板にアンテナやＩＣチップ２２などを実装してあり、ＩＣチップ２２には、磁気テープ３に記録されたデータファイルのディレクトリーや使用履歴データなどの管理情報や、テープカートリッジのロット番号および磁気テープ３の仕様や特性などのメーカー情報などが記憶されている。ＩＣチップ２２は、テープドライブなどと前記アンテナを介して無線でデータ通信などを行う。
【００２２】
装着部２１は、図１ないし図３に示すごとく、上ケース１ａの上壁内面から下方に延びる前後一対の押え板（押え体）２３・２３と、下ケース１ｂの底壁内面から上方に延びる前後一対の支持板（支持体）２５・２５と、支持板２５・２５よりも右側となる本体ケース１の左右中央側において下ケース１ｂの底壁内面から上方に延びる第１ガイド板（内方規制体）２６と、支持板２５・２５の前後において下ケース１ｂの底壁内面から上方に延びる前後一対の第２ガイド板（前後規制体）２７・２７とを含んでいる。なお、前側の第２ガイド板２７は、下ケース１ｂの前側壁と一体化している。
【００２３】
各押え板２３は、左右幅に比べて前後幅が短い平板形状になっており、上ケース１ａの左側壁から離れた位置に形成されている。各押え板２３の下端面２３ａは、図１に示すごとく、本体ケース１の右側へ向けて下るほぼ４５度の傾斜状になっている。各支持板２５は、左右幅に比べて前後幅が短い平板形状になっており、下ケース１ｂの左側壁と一体化している。各支持板２５の上端面２５ａは、本体ケース１の右側へ向けて下るほぼ４５度の傾斜状になっている。
【００２４】
メモリー基板２０は、各押え板２３の下端面２３ａと各支持板２５の上端面２５ａとで上下から挟まれることで保持される。各ガイド板２６・２７は、それぞれ四角柱形状になっており、第１ガイド板２６は、各支持板２５の上端面２５ａ上にあるメモリー基板２０の右端を左側面２６ａで受け止めて、メモリー基板２０が本体ケース１の内方、すなわち右側へ移動することを規制する。第２ガイド板２７・２７は、メモリー基板２０の前後端をそれぞれ受け止めて、メモリー基板２０が前後方向へ移動することを規制する。
【００２５】
各押え板２３と第１ガイド板２６とは、上下ケース１ａ・１ｂを接合した状態で互いに干渉しない位置に配されている。すなわち第１ガイド板２６は、上下ケース１ａ・１ｂを接合した状態で前記押え体２３・２３の間に位置する。各押え板２３の下端面２３ａは、図１に示すごとく、最も本体ケース１の内方となる右端部２３ｂが第１ガイド板２６の左側面２６ａよりも本体ケース１の左右中央側（内方側）に位置している。これにより、上下ケース１ａ・１ｂを接合する際に、図４に示すごとくメモリー基板２０が起立状態であっても、各押え板２３の下端面２３ａが前記起立状態のメモリー基板２０の上端に確実に突き当たることになる。なお、ガイド板２６・２７におけるメモリー基板２０側の上端部は角が切り取られている。
【００２６】
本体ケース１の組み立ての際には、メモリー基板２０を上方から前後の第２ガイド板２７・２７間に嵌め入れ、ガイド板２６・２７に沿って落とし込んで支持板２５・２５の上端面２５ａ・２５ａ上に載置する。このとき、メモリー基板２０の右端は、第１ガイド板２６の左側面２６ａで受け止められる。次いで、上下ケース１ａ・１ｂを接合することで、各押え板２３の下端面２３ａがメモリー基板２０の上面に当接し、メモリー基板２０が各押え板２３の下端面２３ａと、各支持板２５の上端面２５ａとで上下から挟まれて保持される。
【００２７】
一方、メモリー基板２０を各支持板２５の上端面２５ａ上に載置し損ねたり、メモリー基板２０の載置後に下ケース１ｂが大きく振動した場合などでは、メモリー基板２０が、第１ガイド板２６の左側面２６ａに寄り掛かった起立姿勢（図４）になることがある。この場合でも、上下ケース１ａ・１ｂを接合することで、各押え板２３の下端面２３ａが起立姿勢のメモリー基板２０の上端に当たり、各押え板２３の下端面２３ａでメモリー基板２０の上端を本体ケース１の左方向へ押して、メモリー基板２０が、各支持板２５の上端面２５ａ上に倒れ込む。この状態で、メモリー基板２０が、各押え板２３の下端面２３ａと、各支持板２５の上端面２５ａとの間に挟まれて保持される。
【００２８】
このように、上下ケース１ａ・１ｂを接合する際にメモリー基板２０が起立姿勢になっていても、そのまま上下ケース１ａ・１ｂを接合するだけで、メモリー基板２０が倒れて各支持板２５の上端面２５ａ上に載置される。
【００２９】
前記実施例では、各押え板２３の下端面２３ａと、各支持板２５の上端面２５ａとがずれた位置になっているが、各押え板２３の下端面２３ａと、各支持板２５の上端面２５ａとが向かい合わせになるように配してもよい。前側の第２ガイド板２７は、下ケース１ｂの前側壁から離れていてもよく、各支持板２５は、下ケース１ｂの左側壁から離れていてもよい。各押え板２３は、上ケース１ａの左側壁と一体になっていてもよい。
【図面の簡単な説明】
【００３０】
【図１】図２のＡ−Ａ線断面図
【図２】テープカートリッジの横断平面図
【図３】装填部の分解斜視図
【図４】装填部の組み立て途中の状態を示す縦断側面図
【符号の説明】
【００３１】
１  本体ケース
１ａ  上ケース
１ｂ  下ケース
２０  メモリー基板
２１  装着部
２３  押え板
２３ａ  押え板の下端面
２３ｂ  押え板の右端部
２５  支持板
２５ａ  支持板の上端面
２６  第１ガイド板
２６ａ  第１ガイド板の左側面
２７  第２ガイド板
【図１】
2006065924.tif 000003
【図２】
2006065924.tif 000004
【図３】
2006065924.tif 000005
【図４】
2006065924.tif 000006